(57)【要約】【課題】側方顔面規格写真、正面顔面規格写真、正面と側面との中間の任意の方向の顔面写真などを、被検体の頭部の前後方向の傾きが同じ状態で簡単にかつ高い再現性で撮影することができ、しかも眼窩下点支持棒を用いる場合のような危険もない顔面写真撮影装置を提供する。【解決手段】顔面写真撮影装置は、基準線１６を挟んで互いに対向して設けられ、かつ基準線１６の周りに回転可能な一対のアーム１２、１３と、一対のアーム１２、１３の互いに対向する内側面にそれぞれ設けられたイヤーロッド１７、１８と、一方のアーム１３に設けられた頭部傾き設定装置１９とを有する。頭部傾き設定装置１９は、アーム１３またはイヤーロッド１８上の基準点を中心とする、水平線に対する傾斜角度を測定する分度器の機能を有する。頭部の前後方向の傾きを設定する際には、例えば頭部傾き設定装置１９の下端に取り付けられた水平板２０を用いて水平面を確認する。【選択図】図１
2014117428.tif 000002
【特許請求の範囲】
【請求項１】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
水平面確認機構とを有する顔面写真撮影装置。
【請求項２】
上記透明板が上記水平面確認機構を備えている請求項１記載の顔面写真撮影装置。
【請求項３】
上記水平面確認機構は、上記透明板に上記透明板に対して垂直に内側に向かって突出して設けられた水平板、上記透明板の両面の互いに対向する位置に設けられた一対の着色水平線または上記透明板に取り付けられた、水平面内で可視光ビームを走査可能な光学装置からなる請求項２記載の顔面写真撮影装置。
【請求項４】
上記水平面確認機構は上記透明板の外部に設けられている請求項１記載の顔面写真撮影装置。
【請求項５】
上記水平面確認機構は、上記透明板に対して垂直な水平板または水平面内で可視光ビームを走査可能な光学装置からなる請求項４記載の顔面写真撮影装置。
【請求項６】
上記頭部傾き設定装置は、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように上記頭部の傾きを設定する請求項１〜５のいずれか一項記載の顔面写真撮影装置。
【請求項７】
上記頭部傾き設定装置は、上記第１の基準点を中心とする、水平線に対する傾斜角度を測定する分度器の機能を有する請求項１〜６のいずれか一項記載の顔面写真撮影装置。
【請求項８】
上記第１の基準点は上記イヤーロッドの最上点である請求項６記載の顔面写真撮影装置。
【請求項９】
上記第２の基準点は上記被検体の眼窩骨縁最下点、瞳孔の中心の直下の眼窩縁または眼瞼裂の中心である請求項６記載の顔面写真撮影装置。
【請求項１０】
被検体の顔面写真撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための、上記一対のアームのうちの少なくとも一方に設けられた頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと水平面確認機構とを用いて測定する、顔面写真撮影を行う際の頭部傾き測定方法。
【請求項１１】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
水平面確認機構とを有する顔面写真撮影およびＸ線撮影装置。
【発明の詳細な説明】
【技術分野】
【０００１】
この発明は、顔面写真撮影装置、顔面写真撮影を行う際の頭部傾き測定方法ならびに顔面写真撮影およびＸ線撮影装置に関する。
【背景技術】
【０００２】
歯列矯正治療に際し、治療方針の決定や治療効果の判定のために、顔面規格写真あるいは頭部Ｘ線規格写真（セファログラム）を撮影し、この顔面規格写真あるいは頭部Ｘ線規格写真に基づいて分析を行うのが一般的である（例えば、非特許文献１、２参照。）。
【０００３】
顔面規格写真あるいは頭部Ｘ線規格写真は、患者の頭部のフランクフルト(Frankfort)
平面が床面に平行になる位置で撮影するとされている（非特許文献１〜３参照。）。ここで、フランクフルト平面は、眼窩骨縁最下点（オルビターレ（orbitale) ）と外耳道上縁点（ポリオン（porion) ）とを結ぶ平面である。
【０００４】
顔面規格写真としては、正面顔面規格写真と側方（側面）顔面規格写真とを撮影することが一般的である。一方、頭部Ｘ線規格写真としては、もっぱら側方頭部Ｘ線規格写真が撮影されており、その際に頭部のフランクフルト平面を床面に平行にするために、セファロＸ線撮影装置に、先端が針状に尖った眼窩下点支持棒を患者の顔面を向くように水平面内に設けることが知られている（非特許文献３参照。）。頭部Ｘ線規格写真としては、必要に応じて後前方向（ＰＡ（posteroanterior)）頭部Ｘ線規格写真が撮影されることがあるが、後前方向頭部Ｘ線規格写真が撮影されることはむしろ稀であり、ましてや、後前方向頭部Ｘ線規格写真から治療に役立つ有用な情報を取得できているとは到底言い難いのが実情である。その大きな原因は、後前方向頭部Ｘ線規格写真を撮影する際の頭部の前後方向の傾きを設定することが極めて難しいため、撮影するたびに頭部の傾きが異なってしまうことにある。頭部の傾きが異なった状態で撮影すると、得られる後前方向頭部Ｘ線規格写真は全く別の印象を与えるものとなる。このため、現状では、そもそも後前方向頭部Ｘ線規格写真は、患者の頭部の骨格などを判断する際の信頼できる資料とはならないと考えられている。
【０００５】
また、ヒト小児乾燥頭蓋骨の左右骨外耳道に即時重合レジンを流し込んで雌穴を設け、これらの雌穴に直径３．０ｍｍのステンレス線を挿入し、このステンレス線の両端をＸ線撮影装置の両撮影装置耳棹に通し、右側外耳道のレジン側面に雌穴と垂直に、しかもフランクフルト平面と分度器の９０度線が平行になるように半円分度器を接着し、中心Ｘ線軸を示す半円分度器をＸ線撮影装置に固定するためにアタッチメントをレジンで製作することで、ヒト小児乾燥頭蓋骨を左右側からＸ線撮影装置に固定化し、かつ左右側のステンレス線軸を中心として任意の角度で上下回転が行えるようにすることが知られている（非特許文献４参照。）。
【先行技術文献】
【非特許文献】
【０００６】
【非特許文献１】編集代表  中原  泉「新常用歯科辞典  第３版」第２７０頁（医歯薬出版株式会社、１９９９年４月３０日発行）
【非特許文献２】亀田  晃著「矯正臨床における診断法」第５４頁〜第７１頁（医書出版株式会社、昭和５３年６月発行）
【非特許文献３】宮下  邦彦著「カラーアトラス  Ｘ線解剖学とセファロ分析法」第１４６頁〜第１４９頁（クインテッセンス出版株式会社、平成２１年６月１０日発行）
【非特許文献４】木村  和男，ヒト乾燥頭蓋骨の正面頭部Ｘ線規格写真像について：第二報  頭部の上下回転を伴うＸ線像の変化，東北大学歯学雑誌，１９８９年６月３０日，８（１），５１−６１
【発明の概要】
【発明が解決しようとする課題】
【０００７】
しかしながら、非特許文献１には、正面顔面規格写真と側方顔面規格写真とを、患者の頭部の傾きが同じ状態で撮影する具体的な方法については何ら記載されていない。また、非特許文献２には、側方頭部Ｘ線規格写真と後前方向頭部Ｘ線規格写真とを、患者の頭部の傾きが同じ状態で撮影する具体的な方法については何ら記載されていない。非特許文献３においては、後前方向頭部Ｘ線規格写真を撮影する際には「頭部の変位により著しく像が異なりやすいので側方撮影を最初に行い、患者に体位を習得させてから行うのが良い。」と記載されているに過ぎず（同文献の第１４７頁第１１行〜第１３行）、後前方向頭部Ｘ線規格写真を撮影する際に患者の頭部のフランクフルト平面を床面に平行にするための具体的な方法については何ら記載されていない。このため、後前方向頭部Ｘ線規格写真と側方頭部Ｘ線規格写真とを、患者の頭部の傾きが同じ状態で撮影することは到底困難であると考えられる。また、この方法では、患者の顔面などが眼窩下点支持棒と接触する恐れがあり危険である。これらの問題は、眼窩下点支持棒を用いて正面顔面規格写真および側方顔面規格写真を撮影する際にも同様である。さらに、非特許文献４のＸ線撮影方法は、患者に適用することは到底困難である。
【０００８】
そこで、この発明が解決しようとする課題は、側方顔面規格写真、正面顔面規格写真、正面と側面との中間の任意の方向の顔面写真などを、被検体の頭部の前後方向の傾きが同じ状態で簡単にかつ高い再現性で撮影することができ、しかも眼窩下点支持棒を用いる場合のような危険もない顔面写真撮影装置および顔面写真撮影を行う際の頭部傾き測定方法を提供することである。
【０００９】
この発明が解決しようとする他の課題は、顔面写真撮影および頭部Ｘ線撮影の両方を行うことができ、側方顔面規格写真、正面顔面規格写真、正面と側面との中間の任意の方向の顔面写真などを、被検体の頭部の前後方向の傾きが同じ状態で簡単にかつ高い再現性で撮影することができ、しかも眼窩下点支持棒を用いる場合のような危険もなく、さらに、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部の前後方向の傾きが同じ状態で簡単にかつ高い再現性で撮影することができ、しかも眼窩下点支持棒を用いる場合のような危険もない顔面写真撮影およびＸ線撮影装置を提供することである。
【００１０】
上記課題および他の課題は、添付図面を参照した以下の記述によって明らかとなるであろう。
【課題を解決するための手段】
【００１１】
上記課題を解決するために、この発明は、
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
水平面確認機構とを有する顔面写真撮影装置である。
【００１２】
一対のアームは、典型的には、基準線を挟んで互いに対向して設けられ、かつその基準線の周りに回転可能に構成される。頭部傾き設定装置は、典型的には、一対のアームのイヤーロッドを被検体の両耳の外耳孔に装着した状態で被検体の頭部の傾きを設定する。頭部傾き設定装置は、典型的には、頭部を側方（側面）から見たときに、アームまたはイヤーロッド上の第１の基準点と被検体の顔面の第２の基準点とを結ぶ直線が水平線または水平線に対して所定の角度傾斜した直線になるように頭部の傾きを設定する。頭部傾き設定装置は、好適には、第１の基準点を中心とする、水平線に対する傾斜角度を測定する分度器の機能を有する。この分度器の機能を用いることにより、頭部の前後方向の傾きを正確に設定することができる。第１の基準点を中心とする、水平線に対する傾斜角度は、正の角度（第１の基準点と第２の基準点とを結ぶ直線が水平線に対して上側に傾いている場合）であっても、負の角度（第１の基準点と第２の基準点とを結ぶ直線が水平線に対して下側に傾いている場合）であってもよい。
【００１３】
水平面確認機構は、上記の透明板が備えてもよいし、上記の透明板の外部に設けてもよい。この水平面確認機構は、頭部傾き設定装置を用いて頭部の傾きを設定する際に検査者が水平面を認識するために用いることができる。この水平面確認機構としては、例えば、透明板にこの透明板に対して垂直に内側に向かって突出して設けられた水平板が用いられる。この水平板は、透明板の外部に設けられた支持体に設置してもよい。水平面確認機構としては、そのほかに、透明板の両面の互いに対向する位置に設けられた着色水平線を用いることもできる。あるいは、水平面確認機構としては、水平面内で可視光ビームを走査可能な光学装置（光源および走査機構を含む）を用いてもよい。可視光ビームは、レーザービームまたは発光ダイオードから発光する光をビーム状にしたものである。
【００１４】
第１の基準点と第２の基準点とを結ぶ直線が頭部のフランクフルト平面またはそれに近い平面になるようにするためには、第１の基準点は、例えばイヤーロッドの最上点（撮影時の被検体の両耳の外耳道上縁点（ポリオン）と一致する）、第２の基準点は、例えば、眼窩骨縁最下点（オルビターレ）、瞳孔の中心の直下の眼窩縁、眼瞼裂の中心などに選ばれる。第１の基準点と第２の基準点とを結ぶ直線がフランクフルト平面またはそれに近い平面にならなくてもよい場合には、第１の基準点および第２の基準点は任意に選ぶことができる。
【００１５】
顔面写真撮影装置のカメラは、基本的にはどのようなものであってもよく、必要に応じて選ばれるが、例えば、一眼レフカメラ、デジタルスチルカメラやビデオカメラなどである。また、カメラは通常の光学カメラだけでなく、例えば、赤外線カメラ（赤外線サーモグラフィ）などであってもよい。赤外線カメラを用いた場合には、顔面の温度分布を可視化することができる。顔面写真撮影装置は、従来公知のモアレ撮影装置として構成してもよく、この場合には、顔面に現れるモアレの干渉模様により顔面を立体的に三次元表示することができる（モアレ・トポグラフィー）。
【００１６】
また、この発明は、
被検体の顔面写真撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための、上記一対のアームのうちの少なくとも一方に設けられた頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと水平面確認機構とを用いて測定する、顔面写真撮影を行う際の頭部傾き測定方法である。
【００１７】
この顔面写真撮影を行う際の頭部傾き測定方法の発明においては、その性質に反しない限り、上記の顔面写真撮影装置の発明に関連して説明したことが成立する。
【００１８】
また、この発明は、
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
水平面確認機構とを有する顔面写真撮影およびＸ線撮影装置である。
【００１９】
この顔面写真撮影およびＸ線撮影装置は、顔面写真撮影およびＸ線撮影の両方を行うことができれば、基本的にはどのようなものであってもよいが、具体的には、例えば、Ｘ線撮影装置に顔面写真撮影のためのカメラが設けられたものである。Ｘ線撮影装置は、例えばセファロＸ線撮影装置であるが、他の医科歯科用Ｘ線撮影装置、例えば全顎総覧（パノラマ）Ｘ線撮影装置などであってもよく、コンピュータ断層撮影（ＣＴ）装置などであってもよい。
【発明の効果】
【００２０】
この発明によれば、顔面写真撮影では、側方顔面規格写真、正面顔面規格写真、正面と側面との中間の任意の方向の顔面写真などを、被検体の頭部の前後方向の傾きが同じ状態で簡単にかつ高い再現性で撮影することができ、しかも眼窩下点支持棒を用いる場合のような危険もない。また、頭部Ｘ線撮影では、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部の前後方向の傾きが同じ状態で簡単にかつ高い再現性で撮影することができ、しかも眼窩下点支持棒を用いる場合のような危険もない。
【図面の簡単な説明】
【００２１】
【図１】この発明の第１の実施の形態による顔面写真撮影装置を水平方向かつイヤーロッドの中心軸に対して垂直方向から見た略線図である。
【図２】この発明の第１の実施の形態による顔面写真撮影装置のアームおよびこのアームに設置された頭部傾き設定装置を示す略線図である。
【図３】この発明の第１の実施の形態による顔面写真撮影装置の頭部傾き設定装置の下端に設けられた水平板を示す平面図である。
【図４】この発明の第１の実施の形態による顔面写真撮影装置を用いて側方顔面規格写真を撮影する方法を説明するための略線図である。
【図５】この発明の第１の実施の形態による顔面写真撮影装置を用いて側方顔面規格写真を撮影する方法を説明するための略線図である。
【図６】この発明の第１の実施の形態による顔面写真撮影装置を用いて側方顔面規格写真を撮影する方法を説明するための略線図である。
【図７】この発明の第１の実施の形態による顔面写真撮影装置を用いて頭部が前後方向に上側に１０°傾斜した顔面高位で側方顔面規格写真を撮影する方法を説明するための略線図である。
【図８】この発明の第１の実施の形態による顔面写真撮影装置を用いて正面顔面規格写真を撮影する方法を説明するための略線図である。
【図９】この発明の第１の実施の形態による顔面写真撮影装置を用いて正面顔面規格写真を撮影する方法を説明するための略線図である。
【図１０】この発明の第１の実施の形態による顔面写真撮影装置を用いて正面と側面との中間の任意の方向の顔面規格写真を撮影する方法を説明するための略線図である。
【図１１】この発明の第１の実施の形態による顔面写真撮影装置を用いて被験者１の頭部の前後方向の傾きを３段階に変えて撮影した正面顔面規格写真を示す図面代用写真である。
【図１２】この発明の第１の実施の形態による顔面写真撮影装置を用いて被験者１の頭部の前後方向の傾きを３段階に変えて前後方向と４５°の角度をなす方向から撮影した顔面規格写真を示す図面代用写真である。
【図１３】この発明の第１の実施の形態による顔面写真撮影装置を用いて被験者１の頭部の前後方向の傾きを３段階に変えて撮影した側面顔面規格写真を示す図面代用写真である。
【図１４】この発明の第２の実施の形態による顔面写真撮影およびＸ線撮影装置を水平方向かつイヤーロッドの中心軸に対して垂直方向から見た略線図である。
【図１５】この発明の第２の実施の形態による顔面写真撮影およびＸ線撮影装置を用いて側方頭部Ｘ線規格写真を撮影する方法を説明するための略線図である。
【図１６】この発明の第２の実施の形態による顔面写真撮影およびＸ線撮影装置を用いて後前方向頭部Ｘ線規格写真を撮影する方法を説明するための略線図である。
【図１７】この発明の第２の実施の形態による顔面写真撮影およびＸ線撮影装置を用いて後前方向頭部Ｘ線規格写真を撮影する方法を説明するための略線図である。
【図１８】この発明の第２の実施の形態による顔面写真撮影およびＸ線撮影装置を用いて後前方向と前後方向との中間の任意の方向の頭部Ｘ線写真を撮影する方法を説明するための略線図である。
【図１９】この発明の第２の実施の形態による顔面写真撮影およびＸ線撮影装置を用いて撮影された被験者２の側方頭部Ｘ線規格写真を示す図面代用写真である。
【図２０】この発明の第２の実施の形態による顔面写真撮影およびＸ線撮影装置を用いて撮影された被験者２の後前方向頭部Ｘ線規格写真を示す図面代用写真である。
【図２１】この発明の第１の実施の形態による顔面写真撮影およびＸ線撮影装置を用いて撮影された被験者３の側方頭部Ｘ線規格写真を示す図面代用写真である。
【図２２】この発明の第１の実施の形態による顔面写真撮影およびＸ線撮影装置を用いて撮影された被験者３の後前方向頭部Ｘ線規格写真を示す図面代用写真である。
【発明を実施するための形態】
【００２２】
以下、発明を実施するための形態（以下、「実施の形態」という。）について説明する。
〈１．第１の実施の形態〉
図１は第１の実施の形態による顔面写真撮影装置を示す。図１に示すように、この顔面写真撮影装置は、顔面写真撮影用のカメラ１１と、アーム１２、１３と、アーム制御装置１４とを有する。カメラ１１の設置位置は、被検体の顔面をどの方向から撮影するかに応じて決められる。カメラ１１は、三脚などの従来公知の各種の支持装置に固定することができる。アーム制御装置１４は、図示省略した支持部により床面に対して支持されている。
【００２３】
アーム１２、１３は、鉛直線に平行な基準線１６を挟んで互いに対向して設けられている。アーム１２、１３の上部はアーム制御装置１４に取り付けられている。そして、アーム１２、１３は、このアーム制御装置１４により、基準線１６の周りに回転可能、基準線１６に平行な方向に昇降可能および水平方向に互いに逆向きに並進移動可能になっている。アーム１２、１３の下部は下端に向かって幅が徐々に狭くなっており下端は円形になっている（図２参照）。アーム１２、１３の下端部の互いに対向する内側面にはそれぞれ先端が尖った円柱状のイヤーロッド１７、１８が互いに同軸に設けられている。イヤーロッド１７、１８は、従来公知のものを用いることができる。カメラ１１の光軸は、典型的には、イヤーロッド１７、１８の中心軸と同じ高さかつ水平に設定される。図１においては、側方顔面規格写真を撮影する場合を想定して、イヤーロッド１７、１８の中心軸がカメラ１１の光軸と一致している場合が示されているが、これに限定されるものではなく、イヤーロッド１７、１８の中心軸とカメラ１１の光軸とのなす角度は、被検体の顔面をどの方向から撮影するかに応じて決められる。
【００２４】
アーム１２、１３の少なくとも一方の外側面には、被検体の頭部の前後方向の傾きを設定するための頭部傾き設定装置１９が取り付けられている。図１には、アーム１３の外側面に頭部傾き設定装置１９が取り付けられている例が示されている。この場合、この頭部傾き設定装置１９は、イヤーロッド１８の中心軸に垂直な長方形状の透明板からなる。この透明板としては、アクリル板やＰＥＴ（ポリエチレンテレフタレート）板などの透明プラスチック板、ガラス板などを用いることができる。この透明板は、必要な機械的強度が得られ、曲がりにくい厚さであればよいが、例えば、２ｍｍ以上１０ｍｍ以下の厚さである。頭部傾き設定装置１９の取付方法は特に限定されず、接着、ねじ止めなどのどのようなものであってもよい。
【００２５】
頭部傾き設定装置１９の詳細を図２に示す。図２は頭部傾き設定装置１９をその面に垂直な方向から見た図である。図２に示すように、頭部傾き設定装置１９の下端面（底辺）は水平面に平行になっている。この頭部傾き設定装置１９の下端面は、イヤーロッド１８の最上点でイヤーロッド１８の中心軸に垂直方向に引いた接線方向と一致している。この頭部傾き設定装置１９には、イヤーロッド１８の最上点を中心とした角度目盛１９ａが形成されており、分度器の機能を有する。図２においては、角度目盛１９ａは０°から９０°まで１０°間隔で形成されているが、角度目盛１９ａの付け方はこれに限定されるものではなく、例えば５°間隔あるいは１°間隔で形成してもよいし、特定の範囲内の角度だけ、例えば０°から３０°まで角度目盛１９ａが形成されてもよい。角度目盛１９ａが０°の線は頭部傾き設定装置１９の下端面と一致している。角度目盛１９ａは、典型的には、通常の分度器と同様に例えば黒色に着色された線により形成されるが、これに限定されるものではない。０°を除く角度目盛１９ａは、頭部傾き設定装置１９の片面に設けてもよいが、好適には、両面の互いに対応する位置にそれぞれ設けられる。このように角度目盛１９ａを頭部傾き設定装置１９の両面の互いに対応する位置に設けることにより、この角度目盛１９ａを水平方向から見たとき、両面の角度目盛１９ａが一致する方向が水平方向であり、一致しなければ水平方向からずれていると判断することができる。頭部傾き設定装置１９の下端面には、この頭部傾き設定装置１９に対して垂直に内側に向かって突出する水平板２０が設けられている。図３に頭部傾き設定装置１９および水平板２０の平面図を示す。図３に示すように、水平板２０は、イヤーロッド１８から離れた部分に幅広の部分を有する。水平板２０は、水平面を確認する際に視認を容易にするために、好適には着色され、具体的に例えば黒色に着色される。水平板２０の材質、厚さ、水平方向の幅などは適宜選ぶことができる。水平板２０の材質は、具体的には、例えば、アクリルなどの透明プラスチック、不透明プラスチック、金属などである。水平板２０の厚さは、例えば０．２ｍｍ以上２ｍｍ以下であるが、これに限定されるものではない。また、水平板２０の水平方向の幅は、例えば１ｍｍ以上３０ｍｍ以上であるが、これに限定されるものではない。
【００２６】
次に、この顔面写真撮影装置を用いて被検体の顔面規格写真撮影を行う方法について説明する。
【００２７】
（１）側方顔面規格写真を撮影する方法
図１において、アーム１２、１３を水平方向に外側に並進移動させて互いに十分な距離離し、かつ十分に高い位置に移動させておく。この状態で、図４に示すように、被検体の頭部２１を、アーム１２、１３の間に位置させる。被検体は、椅子に座った座位であっても立った状態の立位であってもよい。次に、アーム１２、１３を下降させることにより、イヤーロッド１７、１８が被検体の頭部２１の左右の外耳孔の高さ位置に来るようにする。次に、アーム１２、１３を水平方向に内側に並進移動させ、被検体の頭部２１の左右の外耳孔にイヤーロッド１７、１８を挿入する。そして、イヤーロッド１７、１８の最上点が外耳道上縁点（ポリオン（Ｐｏ））に接触するようにすることによって頭部２１を固定する。次に、検査者が頭部２１の顔面の所定の基準点（第２の基準点）、例えば、オルビターレ（Ｏｒ）、瞳孔の中心の直下の眼窩縁、眼瞼裂の中心などを探す。例えば、オルビターレを基準点とする場合は、検査者が指先で眼窩下縁付近を触ることにより探すことができる。そして、図５に示すように、こうして探した基準点に円形の小さな色付きのシール２２を貼る。このシール２２の色は基本的にはどのようなものであってもよいが、例えば、赤色、黄色、緑色、青色、白色、黒色などであってよい。この基準点に貼られたシール２２を、頭部２１の側方から見ることが難しい場合には、顔面上のこのシール２２から水平方向の外側に例えば５〜２０ｍｍ離れた位置にもシール２２を貼る。次に、図６に示すように、検査者が頭部傾き設定装置１９を外側から水平方向に見る。このとき、透明板からなる頭部傾き設定装置１９を透過してシール２２を見ることができる。そして、頭部傾き設定装置１９の角度目盛１９ａを用い、ポリオン（イヤーロッド１８の最上点と一致する）とオルビターレとを結ぶ直線を所望の角度に設定する。図６には、一例として、ポリオンとオルビターレとを結ぶ平面、すなわちフランクフルト平面を水平に設定する場合が示されている。このようにフランクフルト平面を水平に設定する場合には、角度目盛１９ａが０°にある水平板２０を外側から観察する。このとき、水平板２０が線状に見えるときには、水平方向から観察していることになるから、ポリオンとオルビターレとを結ぶ直線がこの水平板２０と一致するように頭部２１の前後方向の傾きを設定する。こうして、頭部２１のフランクフルト平面が水平面（床面）に平行になるように設定される。
【００２８】
カメラ１１は、その光軸がイヤーロッド１７、１８の中心軸と一致するように設置し、頭部２１の顔面の右側面を撮影する場合はアーム１２側に、左側面を撮影する場合はアーム１３側に設置する。図４においては、頭部２１の顔面の右側面を撮影する場合を想定してカメラ１１はアーム１２側に設置する例を示してある。カメラ１１と頭部２１の正中矢状面との間の距離は適宜選ぶことができるが、例えば、１５０ｃｍとする。
【００２９】
上述のようにして頭部２１の傾きを所望の傾きに設定した状態でカメラ１１により撮影を行うことにより、側方顔面規格写真を撮影する。
【００３０】
頭部２１のフランクフルト平面が水平面に対して正または負の角度傾斜した位置で側方顔面規格写真を撮影する一例として、頭部２１のフランクフルト平面が水平面に対して上側に１０°傾斜した状態（顔面高位）で側方顔面規格写真を撮影する場合を図７に示す。図７に示すように、この場合には、頭部傾き設定装置１９の角度目盛１９ａを用い、頭部２１の前後方向の傾きを調整し、ポリオンとオルビターレとを結ぶ直線を＋１０°の角度に設定する。
【００３１】
（２）正面顔面規格写真を撮影する方法
図８に示すように、アーム１２、１３を図１に示す位置から基準線１６の周りに９０°回転させる。そして、図９に示すように、側方顔面規格写真を撮影する場合と同様に、被検体の頭部２１の左右の外耳孔にイヤーロッド１７、１８を挿入し、イヤーロッド１７、１８の最上点がポリオンに接触するようにすることによって頭部２１を固定する。カメラ１１は被検体の頭部２１の顔面と正対し、かつその光軸が、イヤーロッド１７、１８の中心軸を含む鉛直面に対して垂直となり、イヤーロッド１７、１８の先端を結ぶ直線の中点を通るように設置する。図４に示すようにして側方顔面規格写真を撮影した後に正面顔面規格写真を撮影する場合は、アーム１２、１３を図１に示す位置から基準線１６の周りに９０°移動させてもよいし、カメラ１１の位置を９０°回転させてもよい。頭部２１の顔面の所定の基準点、具体的には例えばオルビターレにはシール２２が貼られたままとする。次に、検査者が頭部傾き設定装置１９を外側から水平方向に見る。このとき、頭部傾き設定装置１９を透過してシール２２を見ることができる。そして、側面顔面規格写真を撮影する場合と同様にして、頭部傾き設定装置１９の角度目盛１９ａを用い、ポリオンとオルビターレとを結ぶ直線を側面顔面規格写真を撮影した場合と同じ角度に設定する。そして、この位置でカメラ１１により正面顔面規格写真を撮影することにより、頭部２１の前後方向の傾きが側方顔面規格写真撮影時と同一の状態で正面顔面規格写真を撮影することができる。例えば、側方顔面規格写真も正面顔面規格写真も、頭部２１のフランクフルト平面が水平面（床面）に平行になる位置で撮影することができる。
【００３２】
（３）水平面内の頭部２１の正面と側面との中間の任意の方向から顔面規格写真を撮影する方法
アーム１２、１３を、図１に示す位置から基準線１６の周りに角度β（０°＜β＜３６０°）だけ回転させる。この状態の顔面写真撮影装置および頭部の平面図を図１０に示す。そして、側方顔面規格写真および正面顔面規格写真を撮影する場合と同様に、被検体の頭部２１の左右の外耳孔にイヤーロッド１７、１８を挿入し、イヤーロッド１７、１８の最上点がポリオンに接触するようにすることによって頭部２１を固定する。そして、カメラ１１を、その光軸がイヤーロッド１７、１８の中心軸に対して角度β傾斜するように設置する。頭部２１の顔面の所定の基準点、具体的には例えばオルビターレにはシール２２が貼られたままとする。次に、検査者が頭部傾き設定装置１９を外側から水平方向に見る。このとき、頭部傾き設定装置１９を透過してシール２２を見ることができる。そして、側方顔面規格写真および正面顔面規格写真を撮影する場合と同様にして、頭部傾き設定装置１９の角度目盛１９ａを用い、ポリオンとオルビターレとを結ぶ直線を側方顔面規格写真を撮影した場合と同じ角度に設定する。そして、この位置でカメラ１１により撮影を行うことにより、頭部２１の前後方向の傾きが側方顔面規格写真撮影時あるいは正面顔面規格写真撮影時と同一の状態で顔面規格写真を撮影することができる。例えば、この顔面規格写真を、側方顔面規格写真および正面顔面規格写真と同様に、頭部２１のフランクフルト平面が水平面（床面）に平行になる位置で撮影することができる。
【００３３】
この第１の実施の形態による顔面写真撮影装置によれば、次のような種々の利点を得ることができる。すなわち、頭部傾き設定装置１９を用いて撮影時の頭部２１の前後方向の傾きを所望の傾きに設定することができることにより、側方顔面規格写真、正面顔面規格写真、正面と側面との中間の任意の方向の顔面規格写真などを、被検体の頭部２１の前後方向の傾きが同じ状態で簡単にかつ高い再現性で撮影することができる。このため、例えば、側方顔面規格写真あるいは正面顔面規格写真を時間を置いて撮影する場合、例えばある時期に撮影してから１年後に撮影する場合においても、頭部２１の前後方向の傾きが同一の状態で撮影することができる。このように頭部２１の前後方向の傾きが常に同一の状態で撮影することができるため、側方顔面規格写真あるいは正面顔面規格写真の比較を容易に行うことができる。これによって、頭部２１の顔面の経年変化を正確に調べることが可能となる。加えて、第１の実施の形態においては、眼窩下点支持棒を用いないので、眼窩下点支持棒を用いる場合の危険もない。
【００３４】
［実施例１］
被験者１の正面顔面規格写真、正面と側面との中間の角度（β＝４５°）の方向からの顔面規格写真および側面顔面規格写真を、頭部傾き設定装置１９を用いることにより、頭部２１の前後方向の傾きを３段階に変えて撮影した。撮影は中心咬合位またはそれに準じる位置で行った。撮影には床面に設置した三脚に取り付けた一眼レフカメラを用いた。図１１Ａ〜Ｃに、頭部２１のフランクフルト平面が床面に対して０°、＋１０°、＋２０°傾斜した位置で撮影した正面顔面規格写真を示す。また、図１２Ａ〜Ｃに、頭部２１のフランクフルト平面が床面に対して０°、＋１０°、＋２０°傾斜した位置で正面と側面との中間の角度（β＝４５°）の方向から撮影した顔面規格写真を示す。また、図１３Ａ〜Ｃに、頭部２１のフランクフルト平面が床面に対して０°、＋１０°、＋２０°傾斜した位置で撮影した側面顔面規格写真を示す。図１１Ａ〜Ｃ、図１２Ａ〜Ｃおよび図１３Ａ〜Ｃより、正面顔面規格写真、正面と側面との中間の角度（β＝４５°）の方向からの顔面規格写真および側面顔面規格写真を頭部の前後方向の傾きが同じ状態で撮影できていることが分かる。
【００３５】
〈２．第２の実施の形態〉
図１４は第２の実施の形態による顔面写真撮影およびＸ線撮影装置を示す。図１４に示すように、この顔面写真撮影およびＸ線撮影装置は、顔面写真撮影用のカメラ１１と、Ｘ線発生部２３と、アーム１２、１３と、アーム制御装置１４と、Ｘ線検出部２４とを有する。カメラ１１の設置位置は、被検体の顔面をどの方向から撮影するかに応じて決められる。カメラ１１は、三脚などの従来公知の各種の支持装置に固定することができる。Ｘ線発生部２３はＸ線管２３ａを有し、このＸ線管２３ａからＸ線が発生される。アーム制御装置１４は、図示省略した支持部により床面に対して支持されている。
【００３６】
Ｘ線管２３ａから発生されたＸ線は被検体の頭部に照射され、この頭部を透過したＸ線がＸ線検出部２４に入射し、透過Ｘ線画像が得られる。Ｘ線検出部２４は特に限定されないが、例えば、Ｘ線フィルム、イメージングプレート、半導体検出器などが用いられる。透過Ｘ線画像は、必要に応じて、例えばディジタル画像信号に変換される。Ｘ線検出部２４は、Ｘ線撮影を行う場合には図１に示す位置にあるが、顔面写真撮影を行う場合には、顔面写真撮影が可能となるように、例えば、上方または左右方向に移動させる。
【００３７】
アーム１２、１３は、鉛直線に平行かつ中心Ｘ線と直交する基準線１６を挟んで互いに対向して設けられている。アーム１２、１３の上部はアーム制御装置１４に取り付けられている。そして、アーム１２、１３は、このアーム制御装置１４により、基準線１６の周りに回転可能、基準線１６に平行な方向に昇降可能および水平方向に互いに逆向きに並進移動可能になっている。アーム１２、１３の下部は下端に向かって幅が徐々に狭くなっており下端は円形になっている（図２参照）。アーム１２、１３は、少なくとも撮影時にＸ線が照射される部分は透明材料により構成され、一般的にはそのほぼ全部が透明材料により構成される。アーム１２、１３の下端部の互いに対向する内側面にはそれぞれ先端が尖った円柱状のイヤーロッド１７、１８が互いに同軸に設けられている。イヤーロッド１７、１８は、従来公知のものを用いることができ、撮影時にその輪郭が写るようになっている。カメラ１１の光軸は、典型的には、イヤーロッド１７、１８の中心軸と同じ高さかつ水平に設定される。図１４においては、側方顔面規格写真および側方頭部Ｘ線規格写真を撮影する場合を想定して、イヤーロッド１７、１８の中心軸が中心Ｘ線およびカメラ１１の光軸と一致している場合が示されているが、これに限定されるものではなく、イヤーロッド１７、１８の中心軸と中心Ｘ線およびカメラ１１の光軸とのなす角度は、被検体の顔面あるいは頭部をどの方向から写真撮影あるいはＸ線撮影するかに応じて決められる。このために、必要に応じて、アーム１２、１３とカメラ１１あるいはＸ線発生部２３との相対的な位置を変えることができるように顔面写真撮影およびＸ線撮影装置を構成する。
【００３８】
アーム１２、１３の少なくとも一方の外側面には、被検体の頭部の前後方向の傾きを設定するための頭部傾き設定装置１９が取り付けられている。図１には、アーム１３の外側面に頭部傾き設定装置１９が取り付けられている例が示されている。この場合、この頭部傾き設定装置１９は、イヤーロッド１８の中心軸に垂直な長方形状の透明板からなる。この透明板としては、アクリル板やＰＥＴ（ポリエチレンテレフタレート）板などの透明プラスチック板、ガラス板などを用いることができる。この透明板は、必要な機械的強度が得られ、曲がりにくい厚さであればよいが、例えば、２ｍｍ以上１０ｍｍ以下の厚さである。頭部傾き設定装置１９の取付方法は特に限定されず、接着、ねじ止めなどのどのようなものであってもよい。
【００３９】
頭部傾き設定装置１９の詳細を図２に示す。図２は頭部傾き設定装置１９をその面に垂直な方向から見た図である。図２に示すように、頭部傾き設定装置１９の下端面（底辺）は水平面に平行になっている。この頭部傾き設定装置１９の下端面は、イヤーロッド１８の最上点でイヤーロッド１８の中心軸に垂直方向に引いた接線方向と一致している。この頭部傾き設定装置１９には、イヤーロッド１８の最上点を中心とした角度目盛１９ａが形成されており、分度器の機能を有する。図２においては、角度目盛１９ａは０°から９０°まで１０°間隔で形成されているが、角度目盛１９ａの付け方はこれに限定されるものではなく、例えば５°間隔あるいは１°間隔で形成してもよいし、特定の範囲内の角度だけ、例えば０°から３０°まで角度目盛１９ａが形成されてもよい。角度目盛１９ａが０°の線は頭部傾き設定装置１９の下端面と一致している。角度目盛１９ａは、典型的には、通常の分度器と同様に例えば黒色に着色された線により形成されるが、これに限定されるものではない。０°を除く角度目盛１９ａは、頭部傾き設定装置１９の片面に設けてもよいが、好適には、両面の互いに対応する位置にそれぞれ設けられる。このように角度目盛１９ａを頭部傾き設定装置１９の両面の互いに対応する位置に設けることにより、この角度目盛１９ａを水平方向から見たとき、両面の角度目盛１９ａが一致する方向が水平方向であり、一致しなければ水平方向からずれていると判断することができる。頭部傾き設定装置１９の下端面には、この頭部傾き設定装置１９に対して垂直に内側に向かって突出する水平板２０が設けられている。図３に頭部傾き設定装置１９および水平板２０の平面図を示す。図３に示すように、水平板２０は、イヤーロッド１８から離れた部分に幅広の部分を有する。水平板２０は、水平面を確認する際に視認を容易にするために、好適には着色され、具体的に例えば黒色に着色される。水平板２０は、好適にはＸ線透過画像に写るようにその材質、厚さ、水平方向の幅などが選ばれる。水平板２０の材質は、例えば、アクリルなどの透明プラスチック、不透明プラスチック、金属などである。水平板２０の厚さは、例えば０．２ｍｍ以上２ｍｍ以下であるが、これに限定されるものではない。水平板２０の水平方向の幅は、例えば１ｍｍ以上３０ｍｍ以上であるが、これに限定されるものではない。
【００４０】
次に、この顔面写真撮影およびＸ線撮影装置を用いて被検体の顔面写真撮影および頭部Ｘ線撮影を行う方法について説明する。
【００４１】
（１）側方顔面規格写真を撮影する方法
側方顔面規格写真は、第１の実施の形態と同様にして撮影することができる。
【００４２】
（２）正面顔面規格写真を撮影する方法
正面顔面規格写真は、第１の実施の形態と同様にして撮影することができる。
【００４３】
（３）水平面内の頭部２１の正面と側面との中間の任意の方向から顔面規格写真を撮影する方法
この顔面規格写真は、第１の実施の形態と同様にして撮影することができる。
【００４４】
（４）側方頭部Ｘ線規格写真を撮影する方法
図１４において、アーム１２、１３を水平方向に外側に並進移動させて互いに十分な距離離し、かつ十分に高い位置に移動させておく。この状態で、図１５に示すように、被検体の頭部２１を、アーム１２、１３の間に、その正中矢状面がＸ線管１１ａからの中心Ｘ線に対して垂直になるように位置させる。被検体は、椅子に座った座位であっても立った状態の立位であってもよい。次に、アーム１２、１３を下降させることにより、イヤーロッド１７、１８が被検体の頭部２１の左右の外耳孔の高さ位置に来るようにする。次に、アーム１２、１３を水平方向に内側に並進移動させ、被検体の頭部２１の左右の外耳孔にイヤーロッド１７、１８を挿入する。そして、イヤーロッド１７、１８の最上点がポリオンに接触するようにすることによって頭部２１を固定し、中心Ｘ線の照射方向がイヤーロッド１７、１８の中心軸と一致するようにする。次に、検査者が頭部２１の顔面の所定の基準点（第２の基準点）、例えば、オルビターレ、瞳孔の中心の直下の眼窩縁、眼瞼裂の中心などを探す。例えば、オルビターレを基準点とする場合は、検査者が指先で眼窩下縁付近を触ることにより探すことができる。そして、図５に示すように、こうして探した基準点に円形の小さな色付きのシール２２を貼る。このシール２２の色は基本的にはどのようなものであってもよいが、例えば、赤色、黄色、緑色、青色、白色、黒色などであってよい。この基準点に貼られたシール２２を、頭部２１の側方から見ることが難しい場合には、顔面上のこのシール２２から水平方向の外側に例えば５〜２０ｍｍ離れた位置にもシール２２を貼る。次に、図６に示すように、検査者が頭部傾き設定装置１９を外側から水平方向に見る。このとき、透明板からなる頭部傾き設定装置１９を透過してシール２２を見ることができる。そして、頭部傾き設定装置１９の角度目盛１９ａを用い、ポリオン（イヤーロッド１８の最上点と一致する）とオルビターレとを結ぶ直線を所望の角度に設定する。図６には、一例として、ポリオンとオルビターレとを結ぶ平面、すなわちフランクフルト平面を水平に設定する場合が示されている。このようにフランクフルト平面を水平に設定する場合には、角度目盛１９ａが０°にある水平板２０を外側から観察する。このとき、水平板２０が線状に見えるときには、水平方向から観察していることになるから、ポリオンとオルビターレとを結ぶ直線がこの水平板２０と一致するように頭部２１の前後方向の傾きを設定する。こうして、頭部２１のフランクフルト平面が水平面（床面）に平行になるように設定される。
【００４５】
上述のようにして頭部２１の傾きを所望の傾きに設定した状態でＸ線撮影を行うことにより、側方頭部Ｘ線規格写真を撮影する。
【００４６】
頭部２１のフランクフルト平面が水平面に対して正または負の角度傾斜した位置で側方頭部Ｘ線規格写真を撮影する一例として、頭部２１のフランクフルト平面が水平面に対して上側に１０°傾斜した状態（顔面高位）で側方頭部Ｘ線規格写真を撮影する場合を図７に示す。図７に示すように、この場合には、頭部傾き設定装置１９の角度目盛１９ａを用い、頭部２１の前後方向の傾きを調整し、ポリオンとオルビターレとを結ぶ直線を＋１０°の角度に設定する。
【００４７】
（５）後前方向頭部Ｘ線規格写真を撮影する方法
図１６に示すように、アーム１２、１３を図１４に示す位置から基準線１６の周りに９０°回転させる。そして、図１７に示すように、側方頭部Ｘ線規格写真を撮影する場合と同様に、被検体の頭部２１の左右の外耳孔にイヤーロッド１７、１８を挿入し、イヤーロッド１７、１８の最上点がポリオンに接触するようにすることによって頭部２１を固定する。この場合、頭部２１の顔面がＸ線検出部２４に向いている。また、中心Ｘ線の照射方向はイヤーロッド１７、１８の中心軸と直交している。頭部２１の顔面の所定の基準点、具体的には例えばオルビターレにはシール２２が貼られたままとする。次に、検査者が頭部傾き設定装置１９を外側から水平方向に見る。このとき、頭部傾き設定装置１９を透過してシール２２を見ることができる。そして、側方頭部Ｘ線規格写真を撮影する場合と同様にして、頭部傾き設定装置１９の角度目盛１９ａを用い、ポリオンとオルビターレとを結ぶ直線を側方頭部Ｘ線規格写真を撮影した場合と同じ角度に設定する。そして、この位置でＸ線撮影を行うことにより、頭部２１の前後方向の傾きが側方頭部Ｘ線規格写真撮影時と同一の状態で後前方向頭部Ｘ線規格写真を撮影することができる。例えば、側方頭部Ｘ線規格写真も後前方向頭部Ｘ線規格写真も、頭部２１のフランクフルト平面が水平面（床面）に平行になる位置で撮影することができる。
【００４８】
（６）前後方向頭部Ｘ線規格写真を撮影する方法
前後方向頭部Ｘ線規格写真を撮影する方法は、頭部２１の顔面がＸ線発生部１１に向くように頭部２１を位置させることを除いて、後前方向頭部Ｘ線規格写真を撮影する方法と同様である。
【００４９】
（７）後前方向と前後方向との中間の任意の方向から頭部Ｘ線写真を撮影する方法
アーム１２、１３を、図１４に示す位置から基準線１６の周りに角度β（０°＜β＜３６０°）だけ回転させる。この状態の顔面規格写真およびＸ線撮影装置ならびに頭部の平面図を図１８に示す。そして、側方頭部Ｘ線規格写真を撮影する場合と同様に、被検体の頭部２１の左右の外耳孔にイヤーロッド１７、１８を挿入し、イヤーロッド１７、１８の最上点がポリオンに接触するようにすることによって頭部２１を固定する。この場合、中心Ｘ線の照射方向はイヤーロッド１７、１８の中心軸に対して角度β傾斜している。頭部２１の顔面の所定の基準点、具体的には例えばオルビターレにはシール２２が貼られたままとする。次に、検査者が頭部傾き設定装置１９を外側から水平方向に見る。このとき、頭部傾き設定装置１９を透過してシール２２を見ることができる。そして、側方頭部Ｘ線規格写真を撮影する場合と同様にして、頭部傾き設定装置１９の角度目盛１９ａを用い、ポリオンとオルビターレとを結ぶ直線を側方頭部Ｘ線規格写真を撮影した場合と同じ角度に設定する。そして、この位置でＸ線撮影を行うことにより、頭部２１の前後方向の傾きが側方頭部Ｘ線規格写真撮影時と同一の状態で頭部Ｘ線写真を撮影することができる。例えば、この頭部Ｘ線写真を、側方頭部Ｘ線規格写真および後前方向頭部Ｘ線規格写真と同様に、頭部２１のフランクフルト平面が水平面（床面）に平行になる位置で撮影することができる。
【００５０】
この第２の実施の形態による顔面写真撮影およびＸ線撮影装置によれば、次のような種々の利点を得ることができる。すなわち、顔面写真撮影を行う場合には第１の実施の形態と同様な種々の利点を得ることができる。また、Ｘ線撮影を行う場合には、頭部傾き設定装置１９を用いて撮影時の頭部２１の前後方向の傾きを所望の傾きに設定することができることにより、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部２１の前後方向の傾きが同じ状態で簡単にかつ高い再現性で撮影することができる。このため、例えば、側方頭部Ｘ線規格写真あるいは後前方向頭部Ｘ線規格写真を時間を置いて撮影する場合、例えばある時期に撮影してから１年後に撮影する場合においても、頭部２１の前後方向の傾きが同一の状態で撮影することができる。このように頭部２１の前後方向の傾きが常に同一の状態で撮影することができるため、側方頭部Ｘ線規格写真あるいは前後方向頭部Ｘ線規格写真の重ね合わせを容易に行うことができる。これによって、頭部２１の上下顎骨の経年変化を正確に調べることが可能となり、上下顎骨の成長発育を正確に調べることが可能となる。加えて、第２の実施の形態においては、眼窩下点支持棒を用いないので、眼窩下点支持棒を用いる場合の危険もない。
【００５１】
［実施例２］
被験者２、３の側方頭部Ｘ線規格写真および後前方向頭部Ｘ線規格写真を、頭部傾き設定装置１９を用いることにより、頭部２１のフランクフルト平面が床面に平行になる位置で撮影した。撮影は中心咬合位またはそれに準じる位置で行った。図１９および図２１はそれぞれ被験者２、３の側方頭部Ｘ線規格写真を示す。ここで、図１９および図２１に見られる横方向の白い線は、頭部傾き設定装置１９の下端に取り付けられた水平板２０の像であり、フランクフルト平面を示す。また、図２０および図２２はそれぞれ被験者２、３の後前方向頭部Ｘ線規格写真を示す。
【００５２】
図１９〜図２２より、被験者２、３のいずれも、側方頭部Ｘ線規格写真および前後方向頭部Ｘ線規格写真を頭部のフランクフルト平面が床面に平行になる位置で撮影できていることが分かる。
【００５３】
以上、この発明の実施の形態および実施例について具体的に説明したが、この発明は、上述の実施の形態および実施例に限定されるものではなく、この発明の技術的思想に基づく各種の変形が可能である。
【００５４】
例えば、上述の実施の形態および実施例において挙げた数値、形状、材質、構成、手順などはあくまでも例に過ぎず、必要に応じてこれらと異なる数値、形状、材質、構成、手順などを用いてもよい。
【符号の説明】
【００５５】
１１…カメラ、１２、１３…アーム、１４…アーム制御装置、１６…基準線、１７、１８…イヤーロッド、１９…頭部傾き設定装置、２０…水平板、２１…頭部、２２…シール、２３…Ｘ線発生部、２３ａ…Ｘ線管、２４…Ｘ線検出部
【図１】
2014117428.tif 000003
【図２】
2014117428.tif 000004
【図３】
2014117428.tif 000005
【図４】
2014117428.tif 000006
【図５】
2014117428.tif 000007
【図６】
2014117428.tif 000008
【図７】
2014117428.tif 000009
【図８】
2014117428.tif 000010
【図９】
2014117428.tif 000011
【図１０】
2014117428.tif 000012
【図１４】
2014117428.tif 000013
【図１５】
2014117428.tif 000014
【図１６】
2014117428.tif 000015
【図１７】
2014117428.tif 000016
【図１８】
2014117428.tif 000017
【図１１】
2014117428.tif 000018
【図１２】
2014117428.tif 000019
【図１３】
2014117428.tif 000020
【図１９】
2014117428.tif 000021
【図２０】
2014117428.tif 000022
【図２１】
2014117428.tif 000023
【図２２】
2014117428.tif 000024
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
水平面確認機構と、
カメラとを有し、
上記カメラを用いて被検体の顔面写真撮影を行う顔面写真撮影装置。
【請求項２】
上記透明板が上記水平面確認機構を備えている請求項１記載の顔面写真撮影装置。
【請求項３】
上記水平面確認機構は、上記透明板に上記透明板に対して垂直に内側に向かって突出して設けられた水平板、上記透明板の両面の互いに対向する位置に設けられた一対の着色水平線または上記透明板に取り付けられた、水平面内で可視光ビームを走査可能な光学装置からなる請求項２記載の顔面写真撮影装置。
【請求項４】
上記水平面確認機構は上記透明板の外部に設けられている請求項１記載の顔面写真撮影装置。
【請求項５】
上記水平面確認機構は、上記透明板に対して垂直な水平板または水平面内で可視光ビームを走査可能な光学装置からなる請求項４記載の顔面写真撮影装置。
【請求項６】
上記頭部傾き設定装置は、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように上記頭部の傾きを設定する請求項１〜５のいずれか一項記載の顔面写真撮影装置。
【請求項７】
上記頭部傾き設定装置は、上記第１の基準点を中心とする、水平線に対する傾斜角度を測定する分度器の機能を有する請求項１〜６のいずれか一項記載の顔面写真撮影装置。
【請求項８】
上記第１の基準点は上記イヤーロッドの最上点である請求項６記載の顔面写真撮影装置。
【請求項９】
上記第２の基準点は上記被検体の眼窩骨縁最下点、瞳孔の中心の直下の眼窩縁または眼瞼裂の中心である請求項６記載の顔面写真撮影装置。
【請求項１０】
カメラを用いて被検体の顔面写真撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための、上記一対のアームのうちの少なくとも一方に設けられた頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと水平面確認機構とを用いて測定する、顔面写真撮影を行う際の頭部傾き測定方法。
【請求項１１】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
水平面確認機構と、
カメラとを有し、
上記カメラを用いた被検体の顔面写真撮影および被検体の頭部のＸ線撮影の両方が可能な、顔面写真撮影およびＸ線撮影装置。